(57)【要約】　　　（修正有）【課題】箱型菌類栽培装置の提供。【解決手段】箱体１２内に温度と湿度を測定する測定装置４４が設けられ、測定された温度、湿度に基づき温度湿度調節装置を駆動するコントロールモジュール４２が箱体底部に設けられ、これに垂直板２２に開設された横向きの溝形穿孔２４と通気孔が組み合わされて箱体内の空気を循環対流させて温度と湿度を設定値に維持し、垂直板表面にあって溝形穿孔の側部下方の位置に、凝結水を収集する集水道２８が設けられ、箱体内に調整可能な複数のランプ３６が設けられる。以上により菌類栽培条件を自動コントロールして菌類品質を厳格に管理し栽培コストを下げることができる。【選択図】　　図２
0003098819.tif 000002
【実用新案登録請求の範囲】
【請求項１】
箱型菌類栽培装置において、該箱型菌類栽培装置は、箱体、測定装置、コントロールモジュール、温度湿度調節装置、複数のランプ、コントロールパネルを具え、
該箱体は、その内部に少なくとも一つの水平板及び少なくとも二つの垂直板が設置されて少なくとも一つの栽培空間が形成され、且つそのうち一つの垂直板に少なくとも一つの横向きの溝形穿孔が設けられ、
該測定装置は該箱体内に設置されて該箱体内の温度と湿度を測定し、
該コントロールモジュールは該箱体内の栽培空間外側に設置され且つ該測定装置に連接され、該測定装置が測定した温度と湿度に基づいた演算の後に温度コントロール命令と湿度コントロール命令をそれぞれ送出し、
該温度湿度調節装置は箱体内の底面に設けられて該コントロールモジュールに連接され、該温度コントロール命令と湿度コントロール命令に基づき循環する気流を発生させ且つ箱体内の温度と湿度を調節し、
該複数のランプは、該箱体内の各一層の空間の上部下表面に設置され、且つ電気的に該コントロールモジュールに連接され、該コントロールモジュールにより制御され、これにより該箱体内の光線が調整され、
該コントロールパネルは、該箱体の外表面に設置され且つ該コントロールモジュールに連接されて該箱体内の各装置のコントロールパラメータを設定するのに用いられ、
以上を特徴とする、箱型菌類栽培装置。
【請求項２】
請求項１記載の箱型菌類栽培装置において、測定装置が温度センサと湿度センサを具えたことを特徴とする箱型菌類栽培装置。
【請求項３】
請求項１記載の箱型菌類栽培装置において、温度湿度調節装置が昇温装置、クーラー、加湿器及び空気循環装置を具えたことを特徴とする、箱型菌類栽培装置。
【請求項４】
請求項３記載の箱型菌類栽培装置において、昇温装置がヒートコイル或いはヒートパイプとされたことを特徴とする、箱型菌類栽培装置。
【請求項５】
請求項３記載の箱型菌類栽培装置において、空気循環装置が少なくとも一つの吸出し送風機とされたことを特徴とする、箱型菌類栽培装置。
【考案の詳細な説明】
【０００１】
【考案の属する技術分野】
本考案は一種の栽培装置に係り、特に生長環境因子を自動コントロールできる箱型菌類栽培装置に関する。
【０００２】
【従来の技術】
食用キノコ類は、美味しく且つ豊富な種類のアミノ酸、タンパク質含有量及び多糖体（ｐｏｌｙｓａｃｃｈａｒｉｄｅ）を含み、広く大衆に好まれている。
【０００３】
周知のキノコの大量生産技術は、原木に菌種を植えつける方法が主流であったが、近年は多くが木屑バッグを利用した方法に改められている。木屑バッグ栽培法は、プラスチックバッグ内に木屑と培養ベースを充填した後に、培養バッグとなし、殺菌後に菌種をバッグ内に接種し、バッグを温度コントロールした栽培室に移して生長段階により栽培室温度と湿度を調整し培養する、というものである。
【０００４】
一般にキノコ類に適合する生長環境は高温多湿の環境であり、周知の木屑バッグ栽培法は栽培室内で行なわれるため、室内の温度と湿度のコントロールが極めて重要であり、該栽培室には空気フィルタ、温度調節装置及び除湿装置を配備する必要があり、室内には電灯、温度計、及び湿度計を付設しなければならない。ゆえに温度計と湿度計を人工観察した後に室内の温度と湿度を調整しなければならず、且つ空間が大きいため、環境因子の干渉を受けやすく、品質要求が厳格な製品に対しては、各場所の生産条件を一致させることが難しい。また一方で、栽培室の湿度が高くなりすぎて雑菌が発生するのを防止するため、人力と時間をかけて室内空間の清潔を維持する必要がある。
【０００５】
【考案が解決しようとする課題】
本考案の主要な目的は、一種の箱型菌類栽培装置を提供することにあり、それは、箱体内に自動コントロール装置が設けられ、箱体内の空気に循環作用を発生させ且つ設定した栽培温度、湿度及び照明条件を維持させ、菌類の栽培を容易とすると共に菌類品質を一致させる機能を有し、周知の栽培条件のコントロールが難しく菌類品質が一致しない欠点を解決するものとする。
【０００６】
本考案の別の目的は、一種の箱型菌類栽培装置を提供することにあり、それは、自動コントロールにより人力、物力及び時間を節約でき、栽培コストを減らす機能を達成するものとする。
【０００７】
本考案のさらに別の目的は、一種の箱型菌類栽培装置を提供することにあり、それは、きれいで洗浄しやすく、修理に便利で外観がよい長所を具えたものとする。
【０００８】
【課題を解決するための手段】
請求項１の考案は、箱型菌類栽培装置において、該箱型菌類栽培装置は、箱体、測定装置、コントロールモジュール、温度湿度調節装置、複数のランプ、コントロールパネルを具え、
該箱体は、その内部に少なくとも一つの水平板及び少なくとも二つの垂直板が設置されて少なくとも一つの栽培空間が形成され、且つそのうち一つの垂直板に少なくとも一つの横向きの溝形穿孔が設けられ、
該測定装置は該箱体内に設置されて該箱体内の温度と湿度を測定し、
該コントロールモジュールは該箱体内の栽培空間外側に設置され且つ該測定装置に連接され、該測定装置が測定した温度と湿度に基づいた演算の後に温度コントロール命令と湿度コントロール命令をそれぞれ送出し、
該温度湿度調節装置は箱体内の底面に設けられて該コントロールモジュールに連接され、該温度コントロール命令と湿度コントロール命令に基づき循環する気流を発生させ且つ箱体内の温度と湿度を調節し、
該複数のランプは、該箱体内の各一層の空間の上部下表面に設置され、且つ電気的に該コントロールモジュールに連接され、該コントロールモジュールにより制御され、これにより該箱体内の光線が調整され、
該コントロールパネルは、該箱体の外表面に設置され且つ該コントロールモジュールに連接されて該箱体内の各装置のコントロールパラメータを設定するのに用いられ、
以上を特徴とする、箱型菌類栽培装置としている。
請求項２の考案は、請求項１記載の箱型菌類栽培装置において、測定装置が温度センサと湿度センサを具えたことを特徴とする箱型菌類栽培装置としている。
請求項３の考案は、請求項１記載の箱型菌類栽培装置において、温度湿度調節装置が昇温装置、クーラー、加湿器及び空気循環装置を具えたことを特徴とする、箱型菌類栽培装置としている。
請求項４の考案は、請求項３記載の箱型菌類栽培装置において、昇温装置がヒートコイル或いはヒートパイプとされたことを特徴とする、箱型菌類栽培装置としている。
請求項５の考案は、請求項３記載の箱型菌類栽培装置において、空気循環装置が少なくとも一つの吸出し送風機とされたことを特徴とする、箱型菌類栽培装置としている。
【０００９】
【考案の実施の形態】
本考案は箱体を具え、該箱体内に少なくとも一つの水平板及び二つの垂直板が設置されてこれにより少なくとも一つの栽培空間が形成され、且つそのうち一つの垂直板に少なくとも一つの横向きの溝形穿孔が設けられ、垂直板の表面の、該溝形穿孔の側部下方の位置に少なくとも一つの集水道が設けられ、該集水道に排水管が連接され、該箱体内に測定装置が設置され、該測定装置が箱体内の温度と湿度を測定し、該箱体内の栽培空間の外側にコントロールモジュールが設置され且つ該コントロールモジュールが測定装置に連接されて測定装置が測定した温度と湿度を演算した後に温度コントロール命令と湿度コントロール命令を送出し、温度湿度調節装置が箱体内の底面に設けられて該コントロールモジュールに連接され、該温度コントロール命令と湿度コントロール命令に基づき循環する気流を発生させ且つ箱体内の温度と湿度を調節し、複数のランプが箱体内の各一層の空間の上部下表面に設けられ且つ電気的に該コントロールモジュールに連接され、該コントロールモジュールにより該ランプがコントロールされ、これにより箱体内の光線がコントロールされ、別にコントロールパネルが箱体の外表面に設置され且つ該コントロールモジュールに連接されて箱体内の各装置のコントロールパラメータを設定するのに用いられる。
【００１０】
【実施例】
図１及び図２はそれぞれ本考案の斜視図及び内部構造表示図である。図示されるように、菌類栽培装置１０は、箱体１２を具え、該箱体１２の前面と後面にそれぞれ開閉動作可能な可動板１４が設けられ、可動板１４に三つの観察孔１６が設けられ、該観察孔１６により箱体１２内部の状況を観察できる。箱体１２内に三層の水平板２０が設けられ、且つ水平板２０の左側と右側にそれぞれ垂直板２２が設けられ、これら水平板２０を利用して箱体１２内の空間が四つの隔離空間に分けられ、そのうち上方の３層の空間が栽培空間とされ、最底層の空間が温度湿度調節装置４４を設置するのに供される。図３も参照されたい。左側の垂直板２２の表面の各隔離空間上側に対応する部分に横向きの溝形穿孔２４が設けられ、且つ右側の垂直板２２に複数の通気孔２６が開設され、左右の垂直板２２上の溝形穿孔２４と通気孔２６により箱体１２内が良好な空気流通性を保持する。栽培空間の垂直板２２表面の、各溝形穿孔２４の側部下方の位置に集水道２８が設けられ、箱体１２内の凝結水を収集する。図４も参照されたい。該集水道２８はやや下向きに傾斜し、集水道２８の末端部分に排水管３０が設けられ、且つ上方の排水管３０は下方の集水道２８に連接され、このような配置関係で順に連接されて、最下端の排水管３０が箱体１２を貫通して箱体１２外に延伸され、収集した凝結水を箱体１２外に排出する。
【００１１】
箱体１２内の上面に測定装置が設けられ、それは温度センサ３２と湿度センサ３４を具え、箱体１２内の温度と湿度を測定する。複数のランプ３６が各一層の栽培空間の上部下表面に設置され、箱体１２内の光線の明るさと強弱を調整するのに用いられる。箱体１２の一つの側壁に可動ドア３８が設けられ、可動ドア３８の外表面にコントロールパネル４０が設けられ、該可動ドア３８の内表面にコントロールモジュール４２が設けられ、該コントロールモジュール４２は箱体１２外のコントロールパネル４０に電気的に連接されている。コントロールモジュール４２は電気的に温度センサ３２、湿度センサ３４及びランプ３６に連接され、コントロールパネル４０により温度、湿度、照明強弱及び照明時間等の培養パラメータが設定され、コントロールモジュール４２がこれら設定されたパラメータにより培養因子の自動コントロールを行なう。
【００１２】
別に温度湿度調節装置４４が箱体１２内の底部に設置され且つ該コントロールモジュール４２に電気的に連接され、それはコントロールモジュール４２の送出した温度及び湿度コントロール命令に基づき箱体１２内の温度と湿度を調節する。温度湿度調節装置４４は昇温装置４６、降温と除湿作用を具えたクーラー４８、加湿器５０及び空気循環装置を具えている。空気循環装置は通常送風モータ５２とされ、送風モータ５２の送風により箱体１２内の空気が循環対流作用を発生する。昇温装置４６は通常はヒートコイル或いはヒートパイプとされる。クーラー４８は分離式クーラーとされ、その主機４８２は箱体１２の上部外部に設置されている。
【００１３】
箱体１２の上部にオゾン発生器５４が設けられ、該オゾン発生器５４は電気的にコントロールモジュール４２に連接され、発生したオゾンを箱体１２内部に送り込む。或いは箱体１２内に複数の紫外線ランプ（図示せず）が設置され、該紫外線ランプがコントロールモジュール４２に電気的に連接される。こうしてオゾン或いは紫外線による殺菌作用が達成され、箱体１２内に雑菌が発生して栽培するキノコ類の生長に影響を与えるのを防止でき、これによりキノコ類の品質を維持することができる。このほか、可動ドア３８と反対に位置する箱体１２の側壁に二つの定時ファン５６が設けられ、該定時ファン５６はコントロールモジュール４２に電気的に連接され且つ定時起動するよう設定され、一時間間隔で送風と抽出を行ない、箱体１２内部の空気を外界大気と流通させ、箱体１２内の空気を新鮮に保つ。
【００１４】
続いて本考案の使用時の実際の運転状況について説明する。キノコ類の栽培を例に挙げると、この菌類栽培装置１０で菌種を培養する時は、可動板１４を移動させ、キノコ類の菌種を植えた培養バッグを箱体１２内の水平板２０の上に置き、さらに可動板１４を閉じる。続いてコントロールパネル４０を利用して生長に適した栽培温度、湿度、温度湿度の偏差範囲及びランプ３６の輝度と照明時間を設定し、設定完成後に各装置の運転を開始させる。正常な使用状態では、可動ドア３８は閉じられ、コントロールモジュール４２の回路を検査するときだけ開放される。培養期間には、観察孔１６を通して箱体１２内のキノコ類の生長状況を観察できる。温度センサ３２と湿度センサ３４は続けて測定した温度、湿度数値をコントロールモジュール４２に送り、コントロールモジュール４２がこの測定された温度、湿度数値と設定値を比較し、もし温度或いは湿度が設定範囲内になければ、温度湿度調節装置４４に箱体１２内の温度或いは湿度を調節させる。
【００１５】
まず、温度の調節について説明する。もし温度が高過ぎ且つ偏差範囲を超えていれば、コントロールモジュール４２が降温命令をクーラー４８に送り、冷気を送出させると共に、送風モータ５２の送風により冷気に箱体１２内の垂直板２２の溝形穿孔２４と通気孔２６を通らせ自然な循環作用を発生させ、箱体１２内の温度を均一に下げる。また一方で、キノコ類の生長環境に適合するのは高温多湿環境であり、ゆえに天気が比較的寒冷である時、温度が設定温度より低く且つ偏差範囲を超過すれば、コントロールモジュール４２が昇温命令を昇温装置４６に送り、この時、昇温装置４６の加熱器が熱を発生し、且つ送風モータ５２の挿入により熱空気を送出し、熱空気に箱体１２内で垂直板２２の溝形穿孔２４と通気孔２６を通過させて自然に循環対流作用を発生させ、全体の箱体１２内の温度を均一に上昇させる機能を達成できる。温度センサ３２が測定した温度が下げられる或いは上げられて設定温度となった時、コントロールモジュール４２が運転停止の命令をクーラー４８或いは昇温装置４６に送り、その運転を停止させ、このような反復した運転により温度を設定温度に維持する効果を達成する。
【００１６】
次に、湿度調節について説明する。クーラー４８が運転時に発生する凝結水及び培養バッグ内に発生する水分は湿気の源とされ、正常状況にあって、箱体１２内の湿度が高くなりすぎることがあり、ゆえにクーラー４８の除湿運転を利用し、湿度を栽培に必要な湿度に維持する。しかし外界環境が乾燥ぎみである時、箱体１２内の湿度不足を防止するため、本考案の箱体１２の底部の温度湿度調節装置４４は加湿器５０を具え、高湿度の栽培条件の要求に対応する。キノコ類を培養する際には、湿度センサ３４が測定した湿度数値を続けてコントロールモジュール４２に送り、コントロールモジュール４２が湿度センサ３４の測定した湿度数値を設定湿度数値と比較した後、湿度が設定値を超過していれば除湿命令をクーラー４８に送り、それにこのコントロール命令に基づく除湿動作を、湿度センサ３４の測定する湿度が設定湿度になるまで行なわせ、設定湿度となった後に、コントロールモジュール４２が命令を発してクーラー４８の除湿ユニットに運転を停止させる。反対に、コントロールモジュール４２が湿度センサ３４の測定した湿度数値を設定湿度数値と比較して、湿度が設定の偏差範囲より低ければ、コントロールモジュール４２が加湿命令を加湿器５０に送り、それを運転させて湿気を発生させ、湿度センサ３４測定する湿度が設定湿度となった後、コントロールモジュール４２が命令を発して加湿器５０に運転を停止させる。クーラー４８或いは加湿器５０の運転時には送風モータ５２の送風が組み合わされ、箱体１２内の空気に循環作用を発生させ、上述の反復運転により湿度を設定湿度に調節する効果を達成する。
【００１７】
上述の菌類栽培装置１０はキノコ類の培養に適用されるだけでなく、各種の菌類の培養と研究に用いられ得る。
【００１８】
【考案の効果】
本考案によると、箱体内に設けられた測定装置により温度と湿度が測定され、且つコントロールモジュールが測定した温度と湿度に基づき箱体底部に設置された温度湿度調節装置を駆動し、垂直板に開設された横向きの溝形穿孔と通気孔が組み合わされて箱体内の空気を循環対流させ、厳格に菌類栽培条件を管理し、培養される菌類品質を一致させることができる。ゆえに本考案は有効に、周知の栽培条件のコントロールが難しい問題を解決し、自動コントロールを利用し並びに人力、物力及び時間を節約でき、低栽培コストの機能を達成する。このほか、本考案は清浄で、洗浄しやすく、修理に便利で外観がよい等の長所を具えている。
【００１９】
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【図１】本考案の斜視図である。
【図２】本考案の内部構造表示図である。
【図３】本考案の内部の隔層構造表示図である。
【図４】本考案の集水道と排水管の構造表示図である。
【符号の説明】
１０　菌類栽培装置　　　　　１２　箱体
１４　可動板　　　　　　　　１６　観察孔
２０　水平板　　　　　　　　２２　垂直板
２４　溝形穿孔　　　　　　　２６　通気孔
２８　集水道　　　　　　　　３０　排水管
３２　温度センサ　　　　　　３４　湿度センサ
３６　ランプ　　　　　　　　３８　可動ドア
４０　コントロールパネル　　４２　コントロールモジュール
４４　温度湿度調節装置　　　４６　昇温装置
４８　クーラー　　　　　　　４８２　主機
５０　加湿器　　　　　　　　５２　送風モータ
５４　オゾン発生器　　　　　５６　定時ファン
【図１】
0003098819.tif 000003
【図２】
0003098819.tif 000004
【図３】
0003098819.tif 000005
【図４】
0003098819.tif 000006